(57)【要約】 【課題】  外観、耐久性、耐候性、強度に優れ、且つ、生産、コスト面でも良好な外壁パネルを提供する。【解決手段】  本発明の外壁パネル１は、SiO2・Al2O3系無機質粉体、アルカリ金属珪酸塩、水を含む硬化性無機質組成物から無機成型体３を形成し、無機成型体３を金属板２に取り付けることにより構成される。【選択図】  図１
2006077436.tif 000002
【特許請求の範囲】
【請求項１】
SiO2・Al2O3系無機質粉体、アルカリ金属珪酸塩、水を含む硬化性無機質組成物から無
機成型体を形成し、該無機成型体を金属板に取り付けることにより構成された金属板を基
材とする外壁パネル。
【請求項２】
前記無機成型体が複数個に分割されて前記金属板に取り付けられていることを特徴とす
る請求項１に記載の外壁パネル。
【請求項３】
前記金属板が石膏ボードに亜鉛鉄板を接着剤を用いて貼り付けることにより構成されて
いることを特徴とする請求項１又は請求項２に記載の外壁パネル。
【請求項４】
前記無機成型体が前記亜鉛鉄板に弾性接着剤を用いて貼り付けられていることを特徴と
する請求項３に記載の外壁パネル。
【発明の詳細な説明】
【技術分野】
【０００１】
本発明は、建築に際して外壁に用いられる外壁パネルの改良に関する。
【背景技術】
【０００２】
従来から、金属基板を基材とする外壁パネルには、金属板にアクリルエマルジョン系の
プライマーを塗布後、そのプライマー上に主剤と副剤とからなる特定の接着剤を塗布して
タイルを貼着することにより構成された金属板を基材とする外壁パネルが知られている（
例えば、特許文献１参照。）。
【０００３】
また、SiO2・Al2O3系無機質粉体、アルカリ金属珪酸塩、水を含む硬化性無機質組成物
を建築用の材料に利用することも知られている（例えば、特許文献２参照。）。
【特許文献１】特開昭６０−９８０５６号公報
【特許文献２】特開平０７−３０９６１７号公報
【発明の開示】
【発明が解決しようとする課題】
【０００４】
ところで、この種の無機組成物は、その有する材料特性として、衝撃力や引っ張り力に
対して弱いため、建築に際して外壁の材料として用いる場合、壁厚を厚くする、鉄筋、ネ
ット等の補強材料を無機組成物に設ける等の対策が必要となり、これらの対策を施すこと
にすると、外壁パネルの重量が増加し、外壁パネルの取り付け作業の効率が低下し、かつ
、材料コストも増加するという不都合がある。
【０００５】
本発明は、外観、耐久性、耐候性、強度に優れ、且つ、生産、コスト面でも良好な外壁
パネルを提供することにある。
【課題を解決するための手段】
【０００６】
請求項１に記載の金属板を基材とする外壁パネルは、SiO2・Al2O3系無機質粉体、アル
カリ金属珪酸塩、水を含む硬化性無機質組成物から無機成型体を形成し、該無機成型体を
金属板に取り付けることにより構成されている。
【０００７】
請求項１に記載の発明によれば、無機成型体が取り付けられた金属板が、衝撃力、引っ
張り力に対する負担を受け止めることができるので、無機成型体の衝撃力、引っ張り強度
に対する脆弱さが金属板によりカバーされる。
【０００８】
また、金属板により無機成型体の脆弱さをカバーすることにしたので、薄型化、軽量化
を図りつつ耐久性、耐候性の向上を図ることもできる。
【０００９】
請求項２に記載の外壁パネルは、前記無機成型体が複数個に分割されて前記金属板に取
り付けられていることを特徴とする。
【００１０】
請求項２に記載の発明によれば、複数個に分割された無機成型体が個々に衝撃力、引っ
張り力を受け止めるので、衝撃力、引っ張り力が他の無機成型体に伝搬するのが緩和され
る。
【００１１】
請求項３に記載の外壁パネルは、前記金属板が石膏ボードに亜鉛鉄板を接着剤を用いて
貼り付けることにより構成されていることを特徴とする。
【００１２】
請求項３に記載の発明によれば、無機成型体と亜鉛鉄板との間に介在する石膏ボードが
耐火材として機能する。
【００１３】
請求項４に記載の外壁パネルは、前記無機成型体が前記亜鉛鉄板に弾性接着剤を用いて
貼り付けられていることを特徴とする。
【００１４】
請求項４に記載の外壁パネルは、無機成型体と亜鉛鉄板との間に存在する弾性接着剤が
、亜鉛鉄板と無機成型体との間に熱膨張率の差により歪みが生じたとき、この歪みを緩和
する作用を果たす。
【発明の効果】
【００１５】
請求項１に記載の発明によれば、SiO2・Al2O3系無機質粉体、アルカリ金属珪酸塩、水
を含む硬化性無機質組成物を用いて無機成型体を形成し、この無機成型体を基材としての
金属板に取り付けることにより外壁パネルを形成することにしたので、外観、耐久性、耐
候性、強度に優れ、且つ、生産、コスト面でも良好な外壁パネルを提供できるという効果
を奏する。
【００１６】
請求項２に記載の発明によれば、無機成型体を複数個に分割して金属板に取り付けるこ
とにより外壁パネルを構成したので、より一層耐久性、耐候性の向上を図ることができる
。
【００１７】
請求項３に記載の発明によれば、石膏ボードと亜鉛鉄板により基材を構成したので、強
度の向上を図ることができると共に、外壁防火構造の向上に貢献できるという効果を奏す
る。
【００１８】
請求項４に記載の発明によれば、無機成型体と金属板との剥離を防止できるという効果
を奏する。
【発明を実施するための最良の形態】
【００１９】
以下に、本発明に係わる外壁パネルの発明の実施の形態を図面を参照しつつ説明する。
【実施例１】
【００２０】
図１、図２において、１は外壁パネルである。この外壁パネル１は金属板としての鉄板
２（図３参照）と無機成型体３（図４参照）とから構成されている。その無機成型体３は
SiO2・Al2O3系無機質粉体、アルカリ金属珪酸塩、水を含む硬化性無機質組成物を用いて
形成される。
【００２１】
その無機成型体３は図１、図２に示すように、ベース部４と、成型意匠を形成するため
の加飾層部５とを有する。その加飾層部５には溝部６が形成されている。その鉄板２のサ
イズは取り付け作業性と建築物への割付を考慮すると、幅５０ミリメートル〜１２５０ミ
リメートル、高さ５０ミリメートル〜３０００ミリメートル程度とされている。無機成型
体３のサイズは鉄板２のサイズとほぼ同じである。
【００２２】
その鉄板２は段差板部２ａを有し、段差板部２ａと無機成型体３との間には図示を略す
部材が挿入されるものとなっている。
【００２３】
鉄板２にはその両端部に図５に拡大して示すように耳部２ｂが形成され、この耳部２ｂ
にはネジ穴６が形成され、外壁パネル１は図示を略す躯体にこの耳部２ｂを用いて取り付
け固定される。
【００２４】
その鉄板２にはビス穴７が適宜箇所に形成され、無機成型体３はビス８を用いて鉄板２
に取り付けられ固定される。その無機成型体３の厚さは、強度、重量、コスト等を勘案し
て５ミリメートル〜３０ミリメートル程度とするのが望ましい。
【００２５】
その鉄板２と無機成型体３との間には、防水用シーリング剤を塗布して防水性能を高め
る構成とするのが望ましい。
【００２６】
この実施例１では、無機成型体３をビス８のみを用いて鉄板２に固定することにより外
壁パネル１を構成することにしたが、ビス８と共に接着剤を用いて無機成型体３を鉄板２
に固定する構成とすること、無機成型体３をビス８を用いずに接着剤のみを用いて鉄板２
に貼り付け固定する構成とすることもできる。
【００２７】
接着剤のみを用いて無機成型体３を鉄板２に貼り付ける構成とした場合には、弾性があ
りかつ耐久性のあるエポキシ系の樹脂材料からなる接着剤を用いるのが好ましい。
【００２８】
また、無機成型体３を複数個に分割して、これを鉄板２に取り付ける構成とすることも
できる。
【００２９】
この発明の実施の形態によれば、無機成型体３が取り付けられた鉄板２が、衝撃力、引
っ張り力に対する負担を受け止めることができるので、無機成型体３の衝撃力、引っ張り
強度に対する脆弱さが鉄板２によりカバーされる。
【００３０】
また、鉄板２により無機成型体３の脆弱さをカバーすることにしたので、薄型化、軽量
化を図りつつ耐久性、耐候性の向上を図ることもできる。
【００３１】
更に、無機成型体３を複数個に分割した場合には、複数個に分割された無機成型体３が
個々に衝撃力、引っ張り力を受け止めるので、衝撃力、引っ張り力が他の無機成型体に伝
搬するのが緩和される。
【実施例２】
【００３２】
図６〜図８は本発明に係わる外壁パネル１の実施例２の説明図であって、この実施例２
では、外壁パネル１は金属板としての亜鉛鉄板９と石膏ボード１０と無機成型体１１とか
ら構成されている。亜鉛鉄板９は屈曲板部９ａを有し、石膏ボード１０はこの屈曲板部９
ａと平板部９ｂとにより包囲されて亜鉛鉄板９に挟持される構成となっている。
【００３３】
石膏ボード１０は例えば厚さが１２ミリメートル以上からなり、亜鉛鉄板９は例えばそ
の厚さが０.２ミリメートル〜１.０ミリメートルである。
【００３４】
その亜鉛鉄板９と石膏ボード１０とにより下地パネル１２Ａが構成され、この下地パネ
ル１２Ａは例えば幅８９１ミリメートルで長さが２８００ミリメートルとされている。無
機成型体１１は複数個に分割されて、幅４４１ミリメートルで長さが４５０ミリメートル
の第１無機成型体１１ａと、幅が４４１ミリメートルで長さが５１０ミリメートルの第２
無機成型体１１ｂとが準備されている。
【００３５】
その無機成型体１１はベース部１２と加飾層部１３とを有し、加飾層部１３には溝部１
４が形成され、その各無機成型体同士１１ａ、１１ｂの継ぎ目は、加飾層部１３の溝部１
４に合わせることにより、その継ぎ目を目立たなくさせることができる。
【００３６】
その亜鉛鉄板９と無機成型体１１とは弾性がありかつ耐久性のあるエポキシ系の樹脂材
料、すなわち、弾性接着剤１５を用いて接着するのが望ましい。
【００３７】
この実施例２によれば、石膏ボード１０と亜鉛鉄板９により基材すなわち下地パネル１
２を構成したので、強度の向上を図ることができると共に、外壁防火構造の向上に貢献で
きる。
【００３８】
また、亜鉛鉄板９と無機成型体１１とを弾性接着剤を用いて接着することにしたので、
亜鉛鉄板９と無機成型体１１との膨張・収縮率の違いを吸収でき、無機成型体と金属板と
の剥離を防止でき、亜鉛鉄板９と無機成型体１１との剥離を防止できる。
【図面の簡単な説明】
【００３９】
【図１】本発明に係わる外壁パネルの実施例１の説明図であって、図４のＢ−Ｂ線に沿う拡大断面図である。
【図２】本発明に係わる外壁パネルの実施例１の説明図であって、図４のＡ−Ａ線に沿う拡大断面図である。
【図３】図１に示す鉄板の裏面図である。
【図４】本発明に係わる外壁パネルの実施例１の平面図である。
【図５】図１に示す耳部の部分拡大図である。
【図６】本発明に係わる外壁パネルの実施例２の説明図であって、図８のＣ−Ｃ線に沿う拡大断面図である。
【図７】本発明に係わる外壁パネルの実施例２の説明図であって、図８のＤ−Ｄ線に沿う拡大断面図である。
【図８】本発明に係わる外壁パネルの実施例２の平面図である。
【符号の説明】
【００４０】
１…外壁パネル
２…鉄板（金属板）
３…無機成型体
【図１】
2006077436.tif 000003
【図２】
2006077436.tif 000004
【図３】
2006077436.tif 000005
【図４】
2006077436.tif 000006
【図５】
2006077436.tif 000007
【図６】
2006077436.tif 000008
【図７】
2006077436.tif 000009
【図８】
2006077436.tif 000010